(57)【要約】【課題】簡単な構成で、用紙反転時に用紙の斜行を補正することができる用紙反転装置を提供する。【解決手段】用紙反転部２０は、用紙Ｐを順逆両方向に搬送する反転ローラ対４０と、この反転ローラ対４０によって順方向に搬送される用紙Ｐの前端側の辺に当て面部７６１を接触させて、当該用紙Ｐを反転位置Ｓで当て止めるストッパ部材７６と、反転位置Ｓに配される用紙Ｐに接触して当該用紙Ｐを保持する摩擦部材７５とを備えている。反転ローラ対４０は、ストッパ部材７６によって当て止められた用紙Ｐがその前端近傍に撓みを有する状態となるまで、用紙Ｐを順方向に搬送するように構成され、摩擦部材７５は、当該摩擦部材７５によって保持される用紙Ｐがそのこしによって前記撓みを解消する向きに変位可能なように用紙Ｐに接触する。【選択図】図８
2009046261.tif 000002
【特許請求の範囲】
【請求項１】
用紙を搬送するための搬送路上に設けられ、用紙の搬送方向を順方向から逆方向に切り替えるように構成された用紙反転装置であって、
用紙に対して接離可能に構成され、用紙に接触した状態で順回転または逆回転して当該用紙を順逆両方向に搬送する搬送手段と、
用紙搬送方向に直交するように拡がる当て面部を有し、前記搬送手段によって順方向に搬送される用紙の前端側の辺に前記当て面部を接触させて、当該用紙を所定の反転位置で当て止めるストッパ部材と、
前記反転位置に配される用紙に接触して当該用紙を搬送路の壁面とで保持する押え部材とを備え、
前記搬送手段は、前記ストッパ部材によって当て止められた用紙がその前端近傍に撓みを有する状態となるまで、前記用紙を順方向に搬送するように構成され、
前記押え部材は、当該押え部材によって保持される用紙が、前記搬送手段の用紙からの離間状態で、当該用紙のこしによって前記撓みを解消する向きに変位可能なように前記用紙に接触することを特徴とする用紙反転装置。
【請求項２】
前記搬送手段は、搬送路に設けた駆動ローラに対向するように配設され、用紙を前記駆動ローラとで挟み込んで搬送する従動ローラであり、
前記押え部材は、前記反転位置に配される用紙を基準に前記従動ローラと同じ側に配設されるとともに、用紙に対して接離可能に構成され、
前記従動ローラおよび前記押え部材の間に搬送方向と直交方向に延びる態様で配されるとともに駆動源に連結される支点軸と、搬送方向に沿うように延びて、その延在方向の略中央部位が前記支点軸に支持されるホルダ部材とを備え、
前記ホルダ部材の延在方向の一側に前記従動ローラが保持されるとともに、前記ホルダ部材の延在方向の他側に前記押え部材が保持され、
前記従動ローラおよび前記押え部材が、前記支点軸の回転駆動によって当該支点軸を中心に互いの相対位置関係を固定しながら回動することを特徴とする請求項１に記載の用紙反転装置。
【請求項３】
請求項１または２に記載の用紙反転装置が適用されていることを特徴とする画像形成装置。
【発明の詳細な説明】
【技術分野】
【０００１】
本発明は、用紙の搬送方向を順方向から逆方向に切り替える用紙反転装置およびそれを備えた画像形成装置に関する。
【背景技術】
【０００２】
従来、プリンタや複写機等の画像形成装置で、特に用紙の両面に画像形成処理を施与可能な画像形成装置に具備され、用紙の搬送方向を順方向から逆方向に切り替えて画像形成の被処理面を反転させる用紙反転装置が知られている。
【０００３】
ところで、画像形成装置では、何らかの理由で用紙が斜行状態で搬送されることがあり、こういった斜行状態の用紙に画像形成処理が施された場合、用紙に歪んだ画像が形成されるため好ましくない。
【０００４】
そこで、従来、用紙反転装置における用紙反転時に、上記用紙の斜行状態を補正する技術が提案されている。特許文献１には、順方向に搬送されて反転位置に配される用紙の斜行状態を検知するためのセンサ等の検知手段を備え、用紙が斜行していると検知された場合には、用紙の幅方向両端に設けられた一対の搬送部材の搬送量（駆動量）を斜行度合いに合わせて互いに異ならせるように制御手段によって駆動制御することによって、用紙反転時に用紙の斜行を補正し、逆方向に搬送する技術が開示されている。
【特許文献１】特開平６−１７１１６５号公報
【発明の開示】
【発明が解決しようとする課題】
【０００５】
しかしながら、上記特許文献１のような技術では、検知手段や制御手段を必要とするため、装置構成が複雑になるという問題点がある。
【０００６】
この発明は、上記のような課題を解決するためになされたものであり、簡単な構成で、用紙反転時に用紙の斜行を補正することができる用紙反転装置およびそれを備えた画像形成装置を提供することを目的とする。
【課題を解決するための手段】
【０００７】
上記目的を達成するために、この発明の請求項１に記載の用紙反転装置は、用紙を搬送するための搬送路上に設けられ、用紙の搬送方向を順方向から逆方向に切り替えるように構成された用紙反転装置であって、用紙に対して接離可能に構成され、用紙に接触した状態で順回転または逆回転して当該用紙を順逆両方向に搬送する搬送手段と、用紙搬送方向に直交するように拡がる当て面部を有し、前記搬送手段によって順方向に搬送される用紙の前端側の辺に前記当て面部を接触させて、当該用紙を所定の反転位置で当て止めるストッパ部材と、前記反転位置に配される用紙に接触して当該用紙を搬送路の壁面とで保持する押え部材とを備え、前記搬送手段は、前記ストッパ部材によって当て止められた用紙がその前端近傍に撓みを有する状態となるまで、前記用紙を順方向に搬送するように構成され、前記押え部材は、当該押え部材によって保持される用紙が、前記搬送手段の用紙からの離間状態で、当該用紙のこしによって前記撓みを解消する向きに変位可能なように前記用紙に接触することを特徴とする。
【０００８】
上記請求項１に記載の用紙反転装置において、好ましくは、前記搬送手段は、搬送路に設けた駆動ローラに対向するように配設され、用紙を前記駆動ローラとで挟み込んで搬送する従動ローラであり、前記押え部材は、前記反転位置に配される用紙を基準に前記従動ローラと同じ側に配設されるとともに、用紙に対して接離可能に構成され、前記従動ローラおよび前記押え部材の間に搬送方向と直交方向に延びる態様で配されるとともに駆動源に連結される支点軸と、搬送方向に沿うように延びて、その延在方向の略中央部位が前記支点軸に支持されるホルダ部材とを備え、前記ホルダ部材の延在方向の一側に前記従動ローラが保持されるとともに、前記ホルダ部材の延在方向の他側に前記押え部材が保持され、前記従動ローラおよび前記押え部材が、前記支点軸の回転駆動によって当該支点軸を中心に互いの相対位置関係を固定しながら回動するように構成されている（請求項２）。
【０００９】
また、請求項３に記載の画像形成装置は、請求項１または２に記載の用紙反転装置が適用されていることを特徴とする。
【発明の効果】
【００１０】
請求項１の発明によれば、搬送手段により順方向に過剰に搬送されてストッパ部材に当て止められることによって搬送方向前端側に撓みが形成された用紙に、当該用紙がそのこしによって撓みを解消する向きに変位可能なように押え部材を接触させる構成としたので、撓みを有する状態まで過搬送された用紙の前端側の辺を、例え当該用紙が斜行状態にあったとしても、ストッパ部材の当て面部に全幅に亘って接触させることができる。これにより、上記状態から用紙がその撓みを解消する向きに変位すると、用紙の後端側の辺が、前端側の辺に倣って、搬送方向と直交方向に延在するように姿勢変更することになるので、撓み解消時には、用紙を非斜行状態の正常な姿勢にすることができる。これにより、従来のように、検知手段や制御手段を用いることなく簡単な構成で、用紙反転時に用紙の斜行を補正することができる。
【００１１】
また、押え部材で用紙を保持しているため、用紙が撓み解消動作の反動でストッパ部材から離れて再び斜行状態となるのを防止することができる。
【００１２】
請求項２の発明によれば、駆動源に連結した支点軸を回転させることによって、従動ローラおよび押え部材の両方を、支点軸を中心にシーソのように回動させることができるので、従動ローラを用紙に接触させて当該用紙を搬送する際には、押え部材を用紙から離間した位置に配することができるとともに、押え部材を用紙に接触させて当該用紙を自発的に変位させる際には、従動ローラを用紙から離間した位置に配することができる。これにより、搬送手段による用紙搬送動作が押え部材によって妨げられるのを防ぐことができるとともに、用紙の自発的な用紙変位動作が従動ローラによって妨げられるのを防ぐことができるので、用紙反転動作を円滑に行うことができる。
【００１３】
しかも、駆動源を容易に単一化することが可能であり、この場合、従動ローラと押え部材とを個別の駆動源からの駆動力で駆動させる場合と異なり、両者の用紙に対する接離動作の同期をとる必要がなく、また、部品点数を減らすことができるため、装置構成をさらに簡略化させることができる。
【発明を実施するための最良の形態】
【００１４】
図１は、本発明の一実施形態による画像形成装置１０の内部構成を説明するための正面断面図である。図１においては、画像形成装置１０として複写機を例に挙げて示している。画像形成装置１０は、コピー動作を行うに際し、装置本体１９内の画像形成部１１において、帯電ユニット１１１により図中の矢印方向（時計方向）に回転する感光体ドラム１１２が一様に帯電され、原稿読取部１２で読み取られた原稿画像データに基づく露光ユニット１３からのレーザビームにより感光体ドラム１１２上に静電潜像が形成され、現像装置１１３により静電潜像に現像剤（以下、トナーという）が付着されてトナー像が形成される。この現像装置１１３へのトナーの供給はトナーコンテナ１１４から行われる。
【００１５】
そして、トナー像が形成された感光体ドラム１１２に向けて、用紙Ｐが用紙給送部１７から複数の搬送ローラ対１４１を備えた用紙搬送路１４を経由して画像形成部１１に搬送され、この画像形成部１１において転写ベルト１５により感光体ドラム１１２の表面におけるトナー像が用紙Ｐに転写される。そして、トナー像が転写された用紙Ｐは感光体ドラム１１２から分離され、内部にハロゲンランプ等の加熱源が設けられた定着ローラ１６１および周面が当該定着ローラ１６１の周面に押圧当接される加圧ローラ１６２を備えた定着装置１６に搬送され、ここで加熱によるトナー像の定着処理が施される。
【００１６】
感光体ドラム１１２の周面における帯電ユニット１１１の上流側にはクリーニング装置１１５が設けられ、転写処理後の感光体ドラム１１２の周面に残留しているトナーがこのクリーニング装置１１５によって掻き落される。また、感光体ドラム１１２の周面におけるクリーニング装置１１５の下流側と前記帯電ユニット１１１との間には除電装置１１６が設けられ、この除電装置１１６によって感光体ドラム１１２周面の残留電荷が除電される。
【００１７】
定着装置１６を通過した用紙Ｐは、複数方向に分岐した用紙搬送路に送られて、排紙側の用紙搬送路の分岐点に設けられた複数の経路切換ガイドを有する経路切換機構によって搬送方向が振り分けられ、そのまま、あるいは本発明に係る用紙反転部（用紙反転装置）２０に送られて表裏が反転され、再度画像形成部１１に戻されて両面コピーされ、定着装置１６で定着処理が施された後に排紙トレイ１８へ排出される。
【００１８】
前記用紙給送部１７は、少量の用紙Ｐを貯留する複数の用紙カートリッジ１７１と、大量の用紙Ｐをストックするストッカー１７２と、用紙カートリッジ１７１およびストッカー１７２に貯留された用紙束から最上位の用紙Ｐを繰り出し、用紙搬送路１４を介して画像形成部１１へ送り込むためのピックアップローラ１７３とを備えている。用紙カートリッジ１７１およびストッカー１７２は、装置本体１９に対して着脱自在とされ、用紙Ｐが消費されて空になると装置本体１９から引き出されて新たに用紙Ｐが補給され、装置本体１９に押し込まれる。
【００１９】
そして、本実施形態においては、定着装置１６から排紙トレイ１８へ到る排紙搬送路１４２の途中に下方の用紙反転部２０へ向かう分岐搬送路２１が設けられている。この分岐搬送路２１の最上流位置には、所定の水平軸回りに回動可能な切換ガイド１４４が設けられている。この切換ガイド１４４は、片面印刷のみを行うときには水平姿勢に姿勢設定され、定着装置１６から送り出された用紙Ｐは、この切換ガイド１４４を介し排紙搬送路１４２を通って排紙トレイ１８へ排紙される。一方、用紙Ｐが両面印刷されるものであるときは、切換ガイド１４４は傾斜姿勢に設定され、これによって片面印刷が行われて定着装置１６から排出された当該用紙Ｐは、切換ガイド１４４の下面に誘導されて分岐搬送路２１へ案内され、用紙反転部２０へ送り込まれる。
【００２０】
図２は、用紙反転部２０の一実施形態を示す正面断面図であり、図３は、用紙反転部２０の位置補正手段７０の平面視の説明図である。なお、図中においてＸ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００２１】
用紙反転部２０は、図１および図２に示すように、前記定着装置１６の直下流側に設けられた分岐ローラ対３０と、この分岐ローラ対３０の右方下部に設けられた反転ローラ対４０と、この反転ローラ対４０の左方位置であって分岐ローラ対３０の略直下に設けられた再給紙ローラ対５０と、再給紙ローラ対５０のニップ部近傍から反転ローラ対４０のニップ部を介して右方に延びる用紙反転トレイ６０と、この用紙反転トレイ６０の右方位置に設けられた用紙Ｐの搬送姿勢を補正する位置補正手段７０とを備えて構成されている。
【００２２】
前記分岐ローラ対３０は、前後方向に延びる一対の単位分岐ローラ３１が左右に並設されることによって形成されている。かかる各単位分岐ローラ３１は、図２に示すように、それぞれ同心で前後方向に貫通された分岐ローラ軸３２回りに一体回転可能に軸支されている。そして、一対の単位分岐ローラ３１が互いに反対方向に向けて回転することで、先端がこれら一対の単位分岐ローラ３１のニップ部に到達した用紙Ｐは、これら一対の単位分岐ローラ３１の回転により下方へ向けて搬送される。
【００２３】
前記反転ローラ対４０は、前記分岐ローラ対３０により送り込まれた用紙Ｐを、反転搬送路２２に沿って用紙反転トレイ６０の反転ローラ対４０より右側の反転位置Ｓへ向けて順方向に搬送し、あるいは、上記反転位置Ｓの用紙Ｐを反転搬送路２２に沿って再給紙ローラ対５０のニップ部へ向けて逆方向に搬送するものである。この反転ローラ対４０は、前後方向に延びた従動ローラ（搬送手段）４１と、下部でこの従動ローラ４１に対向配置された前後方向に延びた駆動ローラ４２とからなっている。
【００２４】
従動ローラ４１は、同心で前後方向に貫通されたローラ軸４１１回りに一体回転可能に軸支されており、用紙Ｐに対して接離する方向に移動可能なように構成されている。ローラ軸４１１は、後述するホルダ部材７４に回転可能に保持されている。
【００２５】
駆動ローラ４２は、同心で前後方向に貫通されたローラ軸４２１回りに一体回転可能に軸支されている。また、駆動ローラ４２は、順逆両方向に回転駆動するように構成されており、当該駆動ローラ４２の両方向の回転に伴って、従動ローラ４１も順逆両方向に回転して用紙Ｐを順方向（右方向）あるいは逆方向（左方向）に搬送するようになっている。
【００２６】
また、本実施形態の反転ローラ対４０は、後記に具体的に述べるが、用紙Ｐを順方向に過搬送するように構成されている。
【００２７】
前記再給紙ローラ対５０は、反転ローラ対４０によって反転位置Ｓから引き出された用紙Ｐを、用紙反転トレイ６０の下部に形成された再給紙搬送路２３へ向かわせるためのものである。なお、分岐搬送路２１、反転搬送路２２および再給紙搬送路２３によって本発明の「搬送路」が構成されている。
【００２８】
再給紙ローラ対５０は、小径の上部単位再給紙ローラ５１と、周面がこの上部単位再給紙ローラ５１の周面と当接するように上部単位再給紙ローラ５１の下部に配設された前後方向に延びる大径の下部単位再給紙ローラ５２とからなっている。上部単位再給紙ローラ５１は、前後方向に延びる中心位置に一体回転可能に貫通された再給紙ローラ軸５１１を有している。また、下部単位再給紙ローラ５２は、前後方向に延びる中心位置に一体回転可能に貫通された再給紙ローラ軸５２１を有している。
【００２９】
以上より、図２に示すように、分岐ローラ対３０によって分岐搬送路２１を矢印ａ方向に搬送されてきた用紙は、反転ローラ対４０の駆動によって反転位置Ｓへ一旦送り込まれる。そして、反転位置Ｓの用紙は、その後の反転ローラ対４０の逆転駆動で反転位置Ｓから矢印ｂ方向に引き出されて、再給紙ローラ対５０のニップ部を介して再給紙搬送路２３へ向けて送り出され、画像形成部１１へ戻されることになる。
【００３０】
前記位置補正手段７０は、当該用紙Ｐの斜行（斜め搬送）を補正するためのものであり、用紙Ｐが反転位置Ｓに送り込まれ、その後に反転位置Ｓから引き出される一連の動作に伴って斜行の補正（横位置補正）を行うように構成されている。
【００３１】
この位置補正手段７０は、図２および図３に示すように、左右方向に駆動する駆動ピン７１１を有するソレノイド（駆動源）７１と、連結部材７２と、支点軸７３と、ホルダ部材７４と、摩擦部材（押え部材）７５と、ストッパ部材７６と、ボールねじ軸７７とを備えて構成されている。
【００３２】
連結部材７２は、その一端が駆動ピン７１１に接続されるとともに、その他端が支点軸７３の軸方向の一端に固定的に取り付けられている。これにより、ソレノイド７１の駆動ピン７１１の直線駆動が、連結部材７２を介して支点軸７３の軸回りの回転駆動に変換されるようになっている。
【００３３】
支点軸７３は、従動ローラ４１および摩擦部材７５の間に前後方向に延びる態様で配されており、その両端が図示しないハウジングに支持されている。この支点軸７３は、ソレノイド７１の駆動力によりその軸回りに回転するように構成されている。
【００３４】
ホルダ部材７４は、左右方向に延びる板状を呈しており、左右方向の略中央部位が前記支点軸７３に固定されている。このホルダ部材７４の左方には、左右方向に延びる前後一対の腕部７４１が形成されており、これら腕部７４１の間には切欠き７４２が設けられている。この腕部７４１は、従動ローラ４１のローラ軸４１１を支持するためのものであり、従動ローラ４１は、切欠き７４２内に入り込む態様で当該ホルダ部材７４の左側に保持されている。
【００３５】
摩擦部材７５は、ホルダ部材７４の右側下面に取り付けられており、反転位置Ｓに配される用紙Ｐに接触して当該用紙Ｐを用紙反転トレイ６０の上面（搬送路の壁面）とで保持するものである。
【００３６】
従って、支点軸７３が回転することによって、従動ローラ４１および摩擦部材７５が互いの相対位置関係を固定しつつ支点軸７３を中心にシーソのように回動し、従動ローラ４１が用紙Ｐに接しているときには摩擦部材７５が用紙Ｐから離間しており、また、従動ローラ４１が用紙Ｐから離間しているときには摩擦部材７５が用紙Ｐに接するようになっている。
【００３７】
ストッパ部材７６は、左右方向に直交するように拡がる当て面部７６１を有しており、反転ローラ対４０によって順方向に搬送される用紙Ｐの前端側の辺に前記当て面部７６１を接触させて、当該用紙Ｐを反転位置Ｓで停止させるためのものである。このストッパ部材７６は、用紙反転トレイ６０の前後方向の中央部に左右方向に延びるように開口された開口部６１から上方へ向かって突設されている。
【００３８】
ボールねじ軸７７は、ストッパ部材７６の係合部７６２に係合してストッパ部材７６を左右方向に移動させるものである。これにより、当該位置補正手段７０を複数の異なるサイズの用紙Ｐに対応させることが可能となっている。
【００３９】
本実施形態では、上記したように、反転ローラ対４０が用紙Ｐを順方向に過搬送するように構成されている。より具体的には、反転ローラ対４０は、ストッパ部材７６によって反転位置Ｓで停止された用紙Ｐがその前端近傍に撓みを有する状態となるまで、用紙Ｐを順方向に過剰に搬送するように構成されている。また、摩擦部材７５は、従動ローラ４１が用紙Ｐから離間した状態で、当該摩擦部材７５によって保持される用紙Ｐがそのこしによって上記撓みを解消する向きに変位可能なように用紙Ｐに接触している。このような摩擦部材７５として、例えばスポンジ材等を挙げることができる。
【００４０】
以下、用紙反転部２０の作用について説明する。図４〜図９は、用紙反転部２０の作用を説明するための説明図であり、図４は、用紙Ｐが分岐ローラ対３０および反転ローラ対４０を介してその前端が反転位置Ｓに送り込まれ始めた状態、図５〜図７は、用紙Ｐがストッパ部材７６に当て止められてその前端側に撓みが形成された状態、図８は、従動ローラ４１が用紙Ｐから離間するとともに摩擦部材７５が用紙Ｐに接触した状態、図９は、用紙Ｐの撓みが当該用紙Ｐのこしによって自発的に解消された状態を示している。
【００４１】
まず、図４に示す状態では、そのジョブにおける１枚面の表面側に印刷処理が施された用紙Ｐが反転ローラ対４０の駆動回転によって反転位置Ｓに送り込まれつつある。そして、用紙Ｐは、図５に示すように、反転ローラ対４０によって順方向に過搬送されてストッパ部材７６によって反転位置Ｓで停止される。この時、用紙Ｐは、その右端近傍に撓みを有する状態となっている。ここで、図６および図７に示すように、例えば用紙Ｐが搬送方向に対して右回り方向に斜行している場合、反転位置Ｓの用紙Ｐは、前側よりも後側の方がより大きく撓んでいる。
【００４２】
そして、用紙Ｐが反転位置Ｓで停止された状態で、ソレノイド７１が駆動され、図８に示すように、従動ローラ４１を用紙Ｐから離間させるとともに、摩擦部材７５を用紙Ｐに接触させる。これによって、用紙Ｐがそのこしによって撓みを解消する向きに変位し始める。すなわち、用紙Ｐは、図６に示すように、用紙Ｐの後端側（図６では−Ｘ方向）の辺が、前端側（図６では＋Ｘ方向）の辺に倣って、搬送方向と直交方向に延在するように姿勢変更し始め、図９に示す撓み解消時には、用紙Ｐの斜行（スキュー）が補正されている。
【００４３】
ついで、ソレノイド７１が駆動され、摩擦部材７５を用紙Ｐから離間させるとともに、従動ローラ４１を用紙Ｐに接触させる。そして、従動ローラ４１が、ローラ軸４１１回りに逆転駆動（時計方向に向けて回転）される（当然にこのとき駆動ローラ４２はローラ軸４２１回りに反時計方向に回転される）と同時に、再給紙ローラ対５０も駆動回転させられる。これによって用紙Ｐは逆送されて反転位置Ｓから引き出され、真っ直ぐに再給紙ローラ対５０のニップ部に向かい、当該ニップ部を介して再給紙搬送路２３へ向けて送り出されることになる。
【００４４】
本実施形態では、上記のように、反転ローラ対４０により順方向に過剰に搬送されてストッパ部材７６に当て止められることによって搬送方向前端側に撓みが形成された用紙Ｐに、当該用紙Ｐがそのこしによって撓みを解消する向きに変位可能なように摩擦部材７５を接触させる構成としたので、撓みを有する状態まで過搬送された用紙Ｐの前端側の辺を、例え当該用紙Ｐが斜行状態にあったとしても、ストッパ部材７６の当て面部７６１に全幅に亘って接触させることができる。これにより、上記状態から用紙Ｐがその撓みを解消する向きに変位すると、用紙Ｐの後端側の辺が、前端側の辺に倣って、搬送方向と直交方向に延在するように姿勢変更することになるので、撓み解消時には、用紙Ｐを非斜行状態の正常な姿勢にすることができる。これにより、従来のように、検知手段や制御手段を用いることなく簡単な構成で、用紙反転時に用紙Ｐの斜行を補正することができる。
【００４５】
また、摩擦部材７５で用紙Ｐを保持しているため、用紙Ｐが撓み解消動作の反動でストッパ部材７６から離れて再び斜行状態となるのを防止することができる。
【００４６】
また、本実施形態では、上記のように、ソレノイド７１に連結した支点軸７３を回転させることによって、従動ローラ４１および摩擦部材７５の両方を、支点軸７３を中心にシーソのように回動させることができるので、従動ローラ４１を用紙Ｐに接触させて当該用紙Ｐを搬送する際には、摩擦部材７５を用紙Ｐから離間した位置に配することができるとともに、摩擦部材７５を用紙Ｐに接触させて当該用紙Ｐを自発的に変位させる際には、従動ローラ４１を用紙Ｐから離間した位置に配することができる。これにより、反転ローラ対４０による用紙搬送動作が摩擦部材７５によって妨げられるのを防ぐことができるとともに、用紙Ｐの自発的な用紙変位動作が従動ローラ４１によって妨げられるのを防ぐことができるので、用紙反転動作を円滑に行うことができる。
【００４７】
しかも、従動ローラ４１および摩擦部材７５を駆動させる駆動源として単一のソレノイド７１を用いているため、従動ローラ４１と摩擦部材７５とを個別の駆動源からの駆動力で駆動させる場合と異なり、両者の用紙Ｐに対する接離動作の同期をとる必要がなく、また、部品点数を減らすことができるため、装置構成をさらに簡略化させることができる。
【００４８】
本発明は上記の実施形態に限定されるものではなく、以下の内容をも包含するものである。
【００４９】
上記の実施形態においては、画像形成装置１０として複写機を例に挙げて説明したが、本発明は、画像形成装置１０が複写機であることに限定されるものではなく、プリンタやファクシミリ装置であってもよい。
【００５０】
また、上記実施形態では、単一のソレノイド７１で発生した駆動力を支点軸７３を介して従動ローラ４１および摩擦部材７５に伝達して両者を駆動する構成について示したが、これに限らず、従動ローラ４１を駆動するための駆動機構と、摩擦部材７５を駆動するための駆動機構とが別々に設けられる構成であってもよい。
【図面の簡単な説明】
【００５１】
【図１】本発明の一実施形態による画像形成装置の内部構成を説明するための正面断面図である。
【図２】用紙反転部の要部構成を説明するための正面断面図である。
【図３】用紙反転部の位置補正手段の平面図である。
【図４】用紙反転時のスキュー補正動作を説明するための正面断面図である。
【図５】用紙反転時のスキュー補正動作を説明するための正面断面図である。
【図６】図５に示した用紙状態を概略的に示した斜視図である。
【図７】図５に示した用紙状態を概略的に示した右側面図である。
【図８】用紙反転時のスキュー補正動作を説明するための正面断面図である。
【図９】用紙反転時のスキュー補正動作を説明するための正面断面図である。
【符号の説明】
【００５２】
１０  画像形成装置
２０  用紙反転部（用紙反転装置）
２２  反転搬送路
４１  従動ローラ（搬送手段）
４２  駆動ローラ
７１  ソレノイド（駆動源）
７３  支点軸
７４  ホルダ部材
７５  摩擦部材（押え部材）
７６  ストッパ部材
７６１  当て面部
Ｐ  用紙
Ｓ  反転位置
【図１】
2009046261.tif 000003
【図２】
2009046261.tif 000004
【図３】
2009046261.tif 000005
【図４】
2009046261.tif 000006
【図５】
2009046261.tif 000007
【図６】
2009046261.tif 000008
【図７】
2009046261.tif 000009
【図８】
2009046261.tif 000010
【図９】
2009046261.tif 000011